(57)【要約】      （修正有）【課題】ベルト上でウェブを搬送する場合において、ウェブの幅方向への伸縮を抑制しつつ、空気溜まりによる製造不良をより確実に防止できるコンベア装置及び吸収性物品の製造方法を提供する。【解決手段】本発明に係るコンベア装置１００では、ベルト１１０には、ベルト１１０を貫通する複数の吸着部１１１が設けられる。ベルト１１０は、直交方向ＣＤに隣接する各々の吸着部１１１間に設けられ、吸着部１１１を形成する縁部分から隆起する隆起部を有する。ベルト１１０上でウェブ７が吸着された状態において、複数の吸着部１１１は、隆起部を介して隣接する吸着部１１１と連通する。ベルト１１０上でウェブ７が吸着された状態において、ベルト１１０における最も直交方向ＣＤの端部１１０Ａに位置する吸着部１１１は、外部と連通する。【選択図】図３
2010228913.tif 000002
【特許請求の範囲】
【請求項１】
複数のローラ間を旋回する無端状のベルト上で、通気性を有するシートが連続した長尺状のウェブを吸着しながら搬送するコンベア装置であって、
前記ウェブは、前記ウェブの搬送方向に直交する直交方向に伸縮性を有し、
前記ベルトには、前記ベルトを貫通する複数の吸着部が設けられ、
前記ベルトは、前記直交方向に隣接する各々の吸着部間に設けられ、前記複数の吸着部を形成する縁部分から隆起する隆起部を有し、
前記ベルト上に前記ウェブが吸着された状態において、前記複数の吸着部は、前記隆起部を介して隣接する前記吸着部とそれぞれ連通し、
前記ベルト上に前記ウェブが吸着された状態において、前記ベルトにおける最も前記直交方向の端部に位置する吸着部は、外部と連通するコンベア装置。
【請求項２】
前記隆起部は、前記搬送方向に隣接する各々の吸着部間に設けられる請求項１に記載のコンベア装置。
【請求項３】
前記吸着部と前記隆起部とは、互いに交差する方向に沿って配列されるコードを互いに織り合わせることによって形成される請求項１または２に記載のコンベア装置。
【請求項４】
前記コードは、
前記搬送方向に沿って配列される複数の第１コードと、
前記第１コードと交差し、前記直交方向に沿って配列される複数の第２コードと
とを有する請求項３に記載のコンベア装置。
【請求項５】
前記コードは、前記ベルトの１インチ内において１０〜２０メッシュ設けられる請求項３または４に記載のコンベア装置。
【請求項６】
前記隆起部の総面積は、前記吸着部の総面積よりも狭い請求項１乃至５の何れか一項に記載のコンベア装置。
【請求項７】
複数のローラ間を旋回する無端状のベルト上で、通気性を有するシートが連続した長尺状のウェブを吸着しながら搬送するコンベア装置であって、
前記ウェブは、前記ウェブの搬送方向に直交する直交方向に伸縮性を有し、
前記ベルト上に設けられ、多孔質材からなる多孔質部を備え、
前記多孔質部における前記直交方向の側縁は、外部と連通するコンベア装置。
【請求項８】
通気性を有するシートを備える吸収性物品の製造方法であって、
コンベア装置に設けられる無端状のベルト上で、前記シートが連続した長尺状のウェブを吸着しながら搬送する工程を備え、
前記ウェブは、前記ウェブの搬送方向に直交する直交方向に伸縮性を有し、
前記ベルトには、前記ウェブを吸着し、前記ベルトを貫通する複数の吸着部が設けられ、
前記ベルトは、前記直交方向に隣接する各々の吸着部間に設けられ、前記吸着部を形成する縁部分から隆起する隆起部を有し、
前記ベルト上で前記ウェブが吸着された状態において、前記複数の吸着部は、前記隆起部を介して隣接する前記吸着部とそれぞれ連通し、
前記ベルト上で前記ウェブが吸着された状態において、前記ベルトにおける最も前記直交方向の端部に位置する吸着部は、外部と連通する吸収性物品の製造方法。
【発明の詳細な説明】
【技術分野】
【０００１】
本発明は、複数のローラ間を旋回する無端状のベルト上に、通気性を有する長尺状のウェブを吸着しながら搬送するコンベア装置及び吸収性物品の製造方法に関する。
【背景技術】
【０００２】
一般的に、パンツ型のおむつや生理用ナプキン、パンティライナーなどの吸収性物品の製造方法は、流れ作業で行われている。例えば、吸収性物品を構成する表面シートや裏面シートなどのシートが連続する長尺状のウェブをコンベア装置によってウェブの搬送方向に対して引っ張られた状態で搬送される。そして、ウェブの搬送方向に対して引っ張れた状態で搬送されるウェブ上に、ギャザー（弾性部材）、防水フィルムなどの構成部材が積層される。
【０００３】
ところで、ウェブは、ギャザーや防水フィルムなどの伸縮性を有する構成部材の配置箇所により、ウェブの搬送方向に直交する直交方向（いわゆる、ウェブの幅方向）に伸縮する場合がある。特に、搬送中のウェブは、着用者の胴回りに対応する一対の胴回り部がウェブの搬送方向に沿うように搬送される方法（いわゆる。横流し方法）においは、ウェブの幅方向における中心線に対して非対称であることが多く、ウェブの幅方向中央に向かって縮んでしまうことがあった。
【０００４】
そこで、ウェブの幅方向への伸縮を抑制するコンベア装置が開示されている（例えば、特許文献１参照）。コンベア装置は、複数のローラ間を旋回する無端状のベルトと、ベルトを旋回させる駆動機構と、外気を吸引するサクション機構とを有する。ベルトには、ウェブを吸着する吸着孔が複数形成される。サクション機構は、吸着孔を介してウェブをベルト上に吸着する。
【先行技術文献】
【特許文献】
【０００５】
【特許文献１】特開２００３−１４５４８５号公報（第２−４頁、図１及び図２）
【発明の概要】
【発明が解決しようとする課題】
【０００６】
本願発明の発明者は、上述したコンベア装置には、次のような問題があることを見出した。すなわち、サクション機構は、ウェブと吸着孔とを通過する外気によって、ウェブをベルト上に吸着する。このため、ウェブの一部が吸着孔へ入り込んでしまう。従って、ウェブの一部が吸着孔へ入り込んでしまった状態で、構成部材（例えば、吸収体）が積層されると、ウェブと構成部材との間に空気が溜まり、製造不良が発生してしまうことがあった。
【０００７】
そこで、本発明は、ベルト上でウェブを搬送する場合において、ウェブの幅方向への伸縮を抑制しつつ、空気溜まりによる製造不良をより確実に防止できるコンベア装置及び吸収性物品の製造方法の提供を目的とする。
【課題を解決するための手段】
【０００８】
上述した課題を解決するため、本発明は、次のような特徴を有している。まず、本発明の特徴は、複数のローラ（例えば、駆動ローラ１２１）間を旋回する無端状のベルト（ベルト１１０）上で、通気性を有するシート（例えば、表面シート２や裏面シート３）が連続した長尺状のウェブ（ウェブ７）を吸着しながら搬送するコンベア装置（コンベア装置１００）であって、前記ウェブは、前記ウェブの搬送方向（搬送方向ＭＤ）に直交する直交方向（直交方向ＣＤ）に伸縮性を有し、前記ベルトには、前記ベルトを貫通する複数の吸着部（吸着部１１１）が設けられ、前記ベルトは、前記直交方向に隣接する各々の吸着部間に設けられ、前記吸着部を形成する縁部分（縁部分１１２）から隆起する隆起部（隆起部１１３）を有し、前記ベルト上で前記ウェブが吸着された状態において、前記複数の吸着部は、前記隆起部を介して隣接する前記吸着部と連通し、前記ベルト上で前記ウェブが吸着された状態において、前記ベルトにおける最も前記直交方向の端部（端部１１０Ａ）に位置する吸着部は、外部と連通することを要旨とする。
【発明の効果】
【０００９】
本発明の特徴によれば、ベルト上でウェブを搬送する場合において、ウェブの幅方向への伸縮を抑制しつつ、空気溜まりによる製造不良をより確実に防止できるコンベア装置及び吸収性物品の製造方法を提供することができる。
【図面の簡単な説明】
【００１０】
【図１】図１は、本実施形態に係る吸収性物品１を示す斜視図である。
【図２】図２は、本実施形態に係る吸収性物品の製造方法の一部を説明するための図である。
【図３】図３は、本実施形態に係るコンベア装置１００の一部を示す斜視図である。
【図４】図４は、本実施形態に係るコンベア装置１００の一部を示す上面図（図４のＡ矢視図）である。
【図５】図５は、本実施形態に係るベルト１１０を示す拡大斜視・上面・側面図である。
【図６】図６は、変更例１に係るベルト２１０Ａを示す上面図である。
【図７】図７は、変更例２に係るベルト２１０Ｂを示す上面図である。
【図８】図８は、変更例３に係るベルト２１０Ｃを示す上面図である。
【図９】図９は、第２実施形態に係るコンベア装置１００Ａの一部を示す斜視図である。
【発明を実施するための形態】
【００１１】
以下において、本発明に係るコンベア装置及び吸収性物品の製造方法について、図面を参照しながら説明する。具体的には、第１実施形態、第２実施形態及びその他の実施形態について説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１２】
［第１実施形態］
まず、第１実施形態に係る吸収性物品１の構成について、図面を参照しながら説明する。図１は、第１実施形態に係る吸収性物品１を示す斜視図である。第１実施形態では、吸収性物品１は、大人用のパンツ型の使い捨ておむつである。
【００１３】
図１に示すように、吸収性物品１は、表面シート２と、裏面シート３と、吸収体４と、防水シート５とによって大略構成される。
【００１４】
表面シート２は、着用対象（以下、着用者）の肌に接する。表面シート２には、不織布や開口プラスチックフィルムなどの液透過性のシートが使用される。裏面シート３は、表面シート２よりも外側（着用者から離れる側）に設けられる。裏面シート３は、不織布などが使用される。
【００１５】
吸収体４は、表面シート２及び裏面シート３の間に設けられ、着用者からの排泄物を吸収する。吸収体４には、粉砕パルプと高吸収性ポリマー粒子との混合物などが使用される。防水シート５は、裏面シート３と吸収体４との間に設けられ、着用者からの排泄物を透過させない。防水シート５には、液不透過性のシートが使用される。吸収性物品１は、着用者の肌側から順番に、表面シート２と、吸収体４と、防水シート５と、裏面シート３とを備える。
【００１６】
このような吸収性物品１は、着用者の前胴回りに対応する前胴回り部１０と、着用者の後胴回りに対応する後胴回り部２０と、着用者の股下に対応する股下部３０とが組み合わされることによって形成される。なお、股下部３０の側部には、着用者の脚が挿入される脚周り開口領域４０が形成される。
【００１７】
前胴回り部１０及び後胴回り部２０は、接合部５０によって一体化され、着用者の胴が挿入される胴回り開口領域６０を形成する。前胴回り部１０及び後胴回り部２０の周縁には、伸縮性を有する糸状のゴム等からなるウエストギャザー６Ａが設けられている。例えば、前胴回り部１０及び後胴回り部２０は、ウエストギャザー６Ａが設けられることによって、前胴回り部１０から後胴回り部２０向かう前後方向に交差する交差方向に伸縮性を有していてもよく、前胴回り部１０及び後胴回り部２０自体が伸縮性を有するシートで形成されていることによって交差方向に伸縮性を有していてもよい。
【００１８】
股下部３０は、前胴回り部１０と後胴回り部２０との間に設けられる。股下部３０の両側部には、伸縮性を有する糸状のゴム等からなるレッグギャザー６Ｂが設けられている。例えば、股下部３０は、例えば、レッグギャザー６Ｂが設けられることによって吸収性物品１の前後方向に伸縮性を有していてもよく、股下部３０自体が伸縮性を有するシートで形成されていることによって吸収性物品１の前後方向に伸縮性を有していてもよい。
【００１９】
次に、第１実施形態に係る吸収性物品の製造方法について、図面を参照しながら説明する。図２は、第１実施形態に係る吸収性物品の製造方法の一部を説明するための図である。図２に示すように、吸収性物品の製造方法は、胴回り形成工程Ｓ１と、吸収体転写工程Ｓ２と、脚周り形成工程Ｓ３と、折り工程Ｓ４と、接合工程Ｓ５と、切断工程Ｓ６とを少なくとも有する。
【００２０】
胴回り形成工程Ｓ１では、ウェブ７Ａとウェブ７Ｂとの間にギャザー（ウエストギャザー６Ａ及び／又はレッグギャザー６Ｂ）を配置することによって、前胴回り部１０及び後胴回り部２０のそれぞれに対応するウェブ７を形成する。なお、搬送中のウェブ７（ウェブ７Ａ，７Ｂ）は、ウェブ７の搬送方向ＭＤに直交する直交方向ＣＤ（幅方向）に対して伸縮性を有する。また、ウェブ７は、ウェブ７の直交方向ＣＤの中心を通り、かつウェブ７の搬送方向ＭＤに沿った中心線ＣＬに対して非対称である。
【００２１】
吸収体転写工程Ｓ２では、胴回り形成工程Ｓ１の後に、ウェブ７上、具体的には、前胴回り部１０と後胴回り部２０との間に、股下部３０に対応する股下部材３０Ａを転写する。なお、股下部材３０Ａは、裏面シート３と吸収体４とによって構成される。
【００２２】
脚周り形成工程Ｓ３では、吸収体転写工程Ｓ２の後に、ウェブ７（ウェブ７Ａ，７Ｂ）を切断することによって、脚周り開口領域４０（いわゆる、レッグホール）を形成する。なお、脚周り開口領域４０は、必ずしもウェブ７（ウェブ７Ａ，７Ｂ）が切断されることによって形成される必要はなく、ウェブ７Ａ及びウェブ７Ｂに加えて、股下部材３０Ａを構成する裏面シート３も一緒に切断されることによって形成されてもよい。ここで、吸収体転写工程Ｓ２と脚周り形成工程Ｓ３との順序については、逆の順序であってもよい。
【００２３】
折り工程Ｓ４では、脚周り形成工程Ｓ３の後に、ウェブ７の搬送方向ＭＤに沿った折返位置において、ウェブ７における後胴回り部２０側に位置する側縁２０Ａに向けて、前胴回り部１０に位置する側縁１０Ａを２つに折り返す。なお、折返位置とは、図２に示す実施形態においては、ウェブ７に対する直交方向ＣＤ中心を通り、かつ搬送方向ＭＤに向かう中心線ＣＬである。また、折返位置は、必ずしも中心線ＣＬである必要はなく、中心線ＣＬから側縁１０Ａ側または側縁２０Ａ側にズレていてもよい。
【００２４】
接合工程Ｓ５では、折り工程Ｓ４の後に、超音波処理や加熱処理によって、吸収性物品１の接合部５０に対応する接合領域５０Ａが接合される。なお、接合領域５０Ａは、ウェブ７の直交方向ＣＤに延びる切断予定位置を示す仮想線ＳＬの搬送方向ＭＤ両側を示す。
【００２５】
切断工程Ｓ６では、接合工程Ｓ５の後に、接合領域５０Ａが接合されたウェブ７が仮想線ＳＬに沿って切断される。これにより、吸収性物品１が製造される。
【００２６】
ここで、各工程（Ｓ１〜６）間において、ウェブ７は、後述するコンベア装置１００によって搬送される。このウェブ７は、少なくともウェブ７の直交方向ＣＤ（いわゆる、ウェブ７の幅方向）に伸縮性を有する。
【００２７】
次に、上述した各工程間（Ｓ１〜６）において使用されるコンベア装置１００の構成について、図面を参照しながら説明する。図３は、第１実施形態に係るコンベア装置１００の一部を示す斜視図である。図４は、第１実施形態に係るコンベア装置１００の一部を示す上面図（図３のＡ矢視図）である。なお、各工程（Ｓ１〜６）間において使用されるコンベア装置１００は、全て同一の構成であるため、脚周り形成工程Ｓ３と折り工程Ｓ４との間で使用されるコンベア装置１００を例に挙げて説明する。
【００２８】
図３及び図４に示すように、コンベア装置１００は、ベルト１１０上でウェブ７を吸着しながら搬送する。具体的には、コンベア装置１００は、ベルト１１０と、駆動機構１２０と、吸着機構１３０とを備える。
【００２９】
ベルト１１０は、複数のローラ（例えば、駆動ローラ１２１と不図示のローラ）間を旋回する無端状からなる。なお、ベルト１１０の構成については、後述する。
【００３０】
駆動機構１２０は、ベルト１１０を旋回させる。駆動機構１２０は、複数のローラと、駆動部１２２とによって構成される。複数のローラのうち少なくとも１つの駆動ローラ１２１は、駆動部１２２によって軸芯１２１Ａを中心に回転する。駆動部１２２は、軸芯１２１Ａを介して駆動ローラ１２１を回転させるモータなどからなる。
【００３１】
吸着機構１３０は、後述する吸着部１１１を介して外気を吸引する。つまり、吸着機構１３０は、ベルト１１０上に位置するウェブ７をベルト１１０上に吸着する。
【００３２】
次に、上述したベルト１１０の構成について、図３〜図５を参照しながら説明する。なお、図５（ａ）は、第１実施形態に係るベルト１１０を示す拡大斜視図である。図５（ｂ）は、第１実施形態に係るベルト１１０を示す上面図である。図５（ｃ）は、第１実施形態に係るベルト１１０を示す側面図である。
【００３３】
図４〜図６に示すように、ベルト１１０には、ベルト１１０を貫通する複数の吸着部１１１が設けられる。ベルト１１０は、吸着部１１１を形成する縁部分１１２から隆起する隆起部１１３を有する。
【００３４】
隆起部１１３は、ウェブ７の直交方向ＣＤに隣接する各々の吸着部１１１間に設けられる。隆起部１１３は、ウェブ７の搬送方向ＭＤに隣接する各々の吸着部１１１間に設けられる。ベルト１１０の平面視において、隆起部１１３の総面積は、吸着部１１１の総面積よりも狭い。
【００３５】
このような吸着部１１１と隆起部１１３とは、互いに交差する方向に沿って配列されるコード１１４を互いに織り合わせることによって形成される。コード１１４は、ベルト１１０の１インチ内において１０〜２０メッシュ設けられることが好ましい。また、コード１１４は、ポリエチレンテレフタレートや、ポリアミド、ポリプロピレン、ポリフッ化ビニリデン等によって形成することができる。コード１１４の径は、０．０２０ｍｍ〜１．９ｍｍとすることができる。吸引圧は、ウェブ７を保持でき、かつウェブ７にダメージを与えない程度に調整される必要がある。ベルト１１０がこのようなコード１１４から形成されていることにより、吸引圧を従来よりも広い範囲から選択することができる。これにより、吸引圧を細かく設定することができる。
【００３６】
コード１１４は、第１コード１１４Ａと、第２コード１１４Ｂとを有する。第１コード１１４Ａは、ウェブ７の搬送方向ＭＤに沿って配列される。第２コード１１４Ｂは、第１コード１１４Ａと交差し、ウェブ７の直交方向ＣＤに沿って配列される。つまり、第１コード１１４Ａは、１本間隔で第２コード１１４Ｂに織り合わされる。また、第２コード１１４Ｂは、１本間隔で第１コード１１４Ａに織り合わされる。これにより、吸着部１１１と隆起部１１３とは、ウェブ７の搬送方向ＭＤ及び直交方向ＣＤに沿って互いに隣接する。
【００３７】
このように、ベルト１１０上にウェブ７が吸着された状態において、複数の吸着部１１１は、隆起部１１３を介して隣接する吸着部１１１とそれぞれ連通する。また、ベルト１１０上にウェブ７が吸着された状態において、ベルト１１０における最も直交方向ＣＤの端部１１０Ａに位置する吸着部１１１は、外部と連通する。
【００３８】
以上説明した第１実施形態では、隆起部１１３は、ウェブ７の直交方向ＣＤに隣接する各々の吸着部１１１間に設けられる。これにより、ウェブ７の直交方向ＣＤに伸縮性を有するウェブ７が隆起部１１３に引っかかりやすい。このため、ウェブ７と隆起部１１３との抵抗によって、ウェブ７が直交方向ＣＤ（いわゆる、幅方向）に向かって伸縮すること、特に、ウェブ７が幅方向中心に向かって縮んでしまうこと抑制できる。
【００３９】
また、ベルト１１０上にウェブ７が吸着された状態において、複数の吸着部１１１は、隆起部１１３を介して隣接する吸着部１１１とそれぞれ連通する。これにより、単にウェブ７を吸着孔を介してベルト１１０上に吸着する場合と比較して、空気が一箇所（１つの吸着孔）に溜まることなく、ウェブ７の一部が吸着部１１１へ入り込んでしまうことを防止できる。
【００４０】
さらに、ベルト１１０上にウェブ７が吸着された状態において、ベルト１１０における最も幅方向の端部に位置する吸着部１１１は、外部と連通する。これによれば、最も幅方向の端部に位置する吸着部１１１から常に空気が入り込み（図３矢印Ａｒ）、各吸着部１１１とウェブ７との間に空気が存在することになる。このため、吸着部１１１上に位置するウェブ７の一部が浮いた状態となることで、ウェブ７の一部が吸着部１１１へ入り込んでしまうことを確実に防止できる。
【００４１】
このように、第１実施形態では、ウェブ７の一部が吸着部１１１へ入り込んでしまった状態において、構成部材（例えば、吸収体４）が積層されることを抑制できる。従って、ウェブ７と構成部材との間で発生する空気溜まりによる製造不良をより確実に防止できる。
【００４２】
第１実施形態では、隆起部１１３は、ウェブ７の搬送方向ＭＤに隣接する各々の吸着部１１１間に設けられる。これにより、ウェブ７が隆起部１１３に引っかかる面積が増大する。このため、ウェブ７と隆起部１１３との抵抗によって、ウェブ７が幅方向に向かって伸縮すること、特に、ウェブ７が幅方向中心に向かって縮んでしまうことより確実に抑制できる。
【００４３】
第１実施形態では、コード１１４は、ベルト１１０の１インチ内において１０〜２０メッシュ設けられることが好ましい。なお、コード１１４が１０メッシュよりも少ないと、ウェブ７と隆起部１１３との抵抗が少なくなり、ウェブ７が幅方向に向かって伸縮することを抑制できない場合がある。一方、コード１１４が２０メッシュよりも多いと、吸着孔を確保することが困難となってしまい、ウェブ７をベルト１１０上に吸着する力が減少してしまう場合がある。
【００４４】
第１実施形態では、コード１１４は、ポリエチレンテレフタレートや、ポリアミド、ポリプロピレン、ポリフッ化ビニリデン等によって形成されることが好ましい。これにより、ベルト１１０の耐久性が向上し、ベルト１１０の寿命が延びる。
【００４５】
第１実施形態では、ベルト１１０の平面視において、隆起部１１３の総面積は、吸着部１１１の総面積よりも狭い。これにより、隆起部１１３の総面積が吸着部１１１の総面積よりも広い場合と比較して、ウェブ７をベルト１１０上に吸着する吸着力が増大する。このため、ウェブ７が幅方向に向かって伸縮すること、特に、ウェブ７が幅方向中心に向かって縮んでしまうことより確実に抑制できる。
【００４６】
（変更例）
上述した第１実施形態に係るベルト１１０は、以下のように変更してもよい。なお、上述した第１実施形態に係るベルト１１０と同一部分には同一の符号を付して、相違する部分を主として説明する。
【００４７】
（変更例１）
まず、変更例１に係るベルト２１０Ａの構成について、図６を参照しながら説明する。図６は、変更例１に係るベルト２１０Ａを示す上面図である。
【００４８】
上述した第１実施形態では、第２コード１１４Ｂは、１本間隔で第１コード１１４Ａに織り合わされる。これに対して、図６（ａ）に示すように、変更例１では、第２コード１１４Ｂは、２本間隔で第１コード１１４Ａに織り合わされる。なお、第２コード１１４Ｂは、必ずしも２本間隔で第１コード１１４Ａに織り合わされる必要はなく、図６（ｂ）に示すように、３本間隔で第１コード１１４Ａに織り合わされてもよい。同様に、第１コード１１４Ａは、必ずしも１本間隔で第２コード１１４Ｂに織り合わされる必要はなく、複数本間隔で第２コード１１４Ｂに織り合わされてもよいことは勿論である。
【００４９】
（変更例２）
次に、変更例２に係るベルト２１０Ｂの構成について、図面を参照しながら説明する。図７は、変更例２に係るベルト２１０Ｂを示す上面図である。
【００５０】
上述した第１実施形態では、ベルト１１０の平面視において、隆起部１１３の総面積は、吸着部１１１の総面積よりも狭い。これに対して、図７に示すように、ベルト２１０Ｂの平面視において、変更例２では、隆起部１１３の総面積は、吸着部１１１の総面積よりも広い。なお、隆起部１１３の総面積は、必ずしも吸着部１１１の総面積よりも広い必要はなく、吸着部１１１の総面積と同じであってもよい。
【００５１】
（変更例３）
次に、変更例３に係るベルト２１０Ｃの構成について、図面を参照しながら説明する。図８は、変更例３に係るベルト２１０Ｃを示す上面図である。
【００５２】
上述した第１実施形態では、隆起部１１３は、ウェブ７の搬送方向ＭＤ及び直交方向ＣＤに隣接する各々の吸着部１１１間に設けられる。つまり、互いに交差する方向に沿って配列されるコード１１４は、互いに織り合わされる。これに対して、図８に示すように、変更例３では、隆起部１１３は、ウェブ７の直交方向ＣＤに隣接する各々の吸着部１１１間に設けられる。つまり、コード１１４は、ウェブ７の直交方向ＣＤに対してのみ織り合わされる。
【００５３】
［第２実施形態］
以下において、第２実施形態に係るコンベア装置１００Ａの構成について、図面を参照しながら説明する。図９は、第２実施形態に係るコンベア装置１００Ａの一部を示す斜視図である。なお、上述した第１実施形態に係るコンベア装置１００と同一部分には同一の符号を付して、相違する部分を主として説明する。
【００５４】
ここで、上述した第１実施形態に係るコンベア装置１００は、ベルト１１０と駆動機構１２０と吸着機構１３０とを備える。これに対して、第２実施形態に係るコンベア装置１００Ａは、第１実施形態に係るコンベア装置１００の構成に加え、多孔質部１５０を備える。
【００５５】
具体的には、図９に示すように、多孔質部１５０は、多孔質材（例えば、スポンジ）からなる。多孔質部１５０は、ベルト１１０上に設けられる。つまり、ウェブ７は、多孔質部１５０を介してベルト１１０上に吸着される。多孔質部１５０における幅方向の側縁１５１は、外部と連通する。
【００５６】
多孔質材は、ウェブ７を保持でき、かつウェブ７にダメージを与えない程度の吸引圧が得られる空隙率を有する材料であれば使用できる。
【００５７】
ここで、第２実施形態に係るベルト１１０は、上述した第１実施形態で説明した構成であってもよく、また、背景技術で説明した吸着孔が形成される構成であってもよい。
【００５８】
以上説明した第２実施形態では、多孔質部１５０の側縁１５１は、外部と連通することによって、上述した第１実施形態の作用・効果と同様に、ウェブ７の一部が吸着部１１１へ入り込んでしまった状態において、構成部材（例えば、吸収体４）が積層されることを抑制できる。従って、ウェブ７と構成部材との間で発生する空気溜まりによる製造不良をより確実に防止できる。
【００５９】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００６０】
例えば、本発明の実施形態は、次のように変更することができる。具体的には、吸収性物品１は、前胴回り部１０と、後胴回り部２０と、股下部３０とが組み合わされることによって形成されるものとして説明したが、これに限定されるものではなく、全て一体に形成されてもよい。この場合、吸収性物品の製造方法が異なることは勿論である。
【００６１】
また、コンベア装置１００は、パンツ型の使い捨ておむつの製造に用いられるものとして説明したが、これに限定されるものではなく、例えば、オープン型の使い捨ておむつや生理用ナプキン、パンティライナーなどの製造に用いられてもよい。つまり、コンベア装置１００は、吸収性物品の製造以外にも、少なくともウェブ７の直交方向ＣＤに伸縮性を有するウェブ７の搬送に用いられればよい。
【００６２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６３】
１…吸収性物品、２…表面シート、３…裏面シート、４…吸収体、５…防水シート、６…レッグギャザー、６Ａ…ウエストギャザー、６Ｂ…レッグギャザー、７，７Ａ，７Ｂ…ウェブ、１０…前胴回り部、１０Ａ…側縁、２０…後脚周り部、２０Ａ…側縁、３０…股下部、４０…脚周り開口領域、５０…接合部、５０Ａ…接合領域、６０…胴周り開口領域、１００，１００Ａ…コンベア装置、１１０（２１０Ａ〜２１０Ｃ）…ベルト、１１０Ａ…端部、１１１…吸着部、１１２…縁部分、１１３…隆起部、１１４…コード、１１４Ａ…第１コード、１１４Ｂ…第２コード、１２０…駆動機構、１２１…駆動ローラ、１２１Ａ…軸芯、１２２…駆動部、１３０…吸着機構、１５０…多孔質部、１５１…側縁
【図１】
2010228913.tif 000003
【図２】
2010228913.tif 000004
【図３】
2010228913.tif 000005
【図４】
2010228913.tif 000006
【図９】
2010228913.tif 000007
【図５】
2010228913.tif 000008
【図６】
2010228913.tif 000009
【図７】
2010228913.tif 000010
【図８】
2010228913.tif 000011